(57)【特許請求の範囲】
【請求項１】
左面側壁パネル、前面側壁パネル、右面側壁パネル、後面側壁パネル、糊代の順に折線を介して連接し、それぞれの前記側壁パネルの上部に二重折り返し片を折線を介して連接し、下部に底成形部を折線を介して連接し、前記左面側壁パネル、右面側壁パネルの上端に折線と切れ目線で区画される逆台形状の舌片を設け、前記後面側壁パネル上部に切れ目線とリード罫によって区画された台形状の糊代片を設けてなるブランクから四角柱状の胴部を形成し、四角形の天板の４辺に折線を介して前パネル、後パネル、左パネル、右パネルを連接し、該パネルのそれぞれ両側端に折線を介して折込み片を延設し、隣り合う該折込み片同志をリード罫で連接して４隅にウェッブを形成してなるカートンブランクあるいは前記前パネルと前記後パネルの両端に折線を介して折込み片を延設してなるブランクから所定の深さの被せ蓋を成形し、前記胴部の各側壁パネルの裏面に前記折り返し片が接着され二重壁を形成し、前記被せ蓋の前記後パネル内面を前記胴部の二重壁となった前記後面側壁パネルの上部に区画されて設けられた前記糊代片の外面に接着し、該糊代片を区画する前記リード罫をヒンジとして前記被せ蓋を開閉させることを特徴とする密封容器。
【請求項２】
前記胴部の二重壁となった前記左面側壁パネルと前記右面側壁パネルの上部に設けられた前記舌片と前記被せ蓋の左パネルと右パネル内面に前記ウェッブあるいは前記折込み片が折り返されて形成される段差によって係止手段が構成されることを特徴とする請求項１記載の密封容器。
【発明の詳細な説明】
【０００１】
【発明の属する技術分野】
本発明は被せ蓋を有する直方体の密封容器に関する。
【０００２】
【従来の技術】
小型の粉末洗剤カートンに代表される被せ蓋を有する密封容器は、防湿性、内容物の飛散防止性、使用時の頭部全開性等は無論のこと閉鎖時に被せ蓋をロックする安定した係止手段が要求される。
図５は従来の代表的な密封容器の被せ蓋の説明図である。一般に被せ蓋の形状は略同一なるも、被せ蓋を開閉するヒンジの取り付けレベルが異なったものが使用されている。図５（ａ）は後パネル３２にヒンジＨを介して糊代片Ｎ１を連接し、胴部の後面側壁パネル上に接合させたものである。図５（ｂ）は被せ蓋の後パネルを浅くし、その先端にヒンジＨを介して糊代片Ｎ２を連接し、胴部の後面側壁パネル上に接合させたものであり、図５（ｃ）は後パネルの上部にヒンジＨを設け、後パネルを糊代片Ｎ３として接合した場合である。いずれも被せ蓋側に糊代片Ｎ１，Ｎ２，Ｎ３を設けており、ヒンジのレベルが異なっている。
また、図５に図示はしていないがこれらの密封容器は、被せ蓋の再封時に、被せ蓋の前パネルと胴部の前面側壁パネル間に設けられた係止手段により被せ蓋がロックされるタイプが一般的である。
【０００３】
【発明が解決しようとする課題】
しかるに、図５（ａ）の場合は糊代片Ｎ１が突出していて成形された被せ蓋の整列が行いにくく、板紙の使用量に無駄が生じるという問題がある。
図５（ｂ）の場合は、被せ蓋の左右パネルの後側の折線が繰返し使用するうちに破壊して図５（ｃ）に示す状態になり、前面におけるロックが甘くなるという問題があり、また左右パネルの内方向への締めつけ力は図５（ａ）に較べて小さくなるという問題がある。図５（ｃ）の場合は最初から左右パネルの内方向への締めつけ力はもっとも小さく、被せ蓋の再封後の密閉性という点で問題がある。なお初期密閉性は胴部上端を防湿紙等でトップシールするので被せ蓋の形状には関係しない。
また上記の被せ蓋はすべて前ロック方式であるため被せ蓋の前パネルが、係止手段として設けられる胴部前面側壁パネル上部の舌片の反発力によって前面に押し出され、また被せ蓋を開封すると、舌片が前面に剥き出しになって現れ、容器前面の意匠効果を損なうという問題もある。
本発明は、前述の問題点に鑑みてなされたもので、被せ蓋のロックが最後まで甘くならず、しかも係止力が強くて安定性がありながら開けやすく、胴部前面の意匠効果を妨げず、板紙使用量の少ない密封容器の提供を目的とする。
【０００４】
【課題を解決するための手段】
前記課題を解決するために、本発明による密封容器は、左面側壁パネル、前面側壁パネル、右面側壁パネル、後面側壁パネル、糊代の順に折線を介して連接し、それぞれの前記側壁パネルの上部に二重折り返し片を折線を介して連接し、下部に底成形部を折線を介して連接し、前記左面側壁パネル、右面側壁パネルの上端に折線と切れ目線で区画される逆台形状の舌片を設け、前記後面側壁パネル上部に切れ目線とリード罫によって区画された台形状の糊代片を設けてなるブランクから四角柱状の胴部を形成し、四角形の天板の４辺に折線を介して前パネル、後パネル、左パネル、右パネルを連接し、該パネルのそれぞれ両側端に折線を介して折込み片を延設し、隣り合う該折込み片同志をリード罫で連接して４隅にウェッブを形成してなるカートンブランクあるいは前記前パネルと前記後パネルの両端に折線を介して折込み片を延設してなるブランクから所定の深さの被せ蓋を成形し、前記胴部の各側壁パネルの裏面に前記折り返し片が接着され二重壁を形成し、前記被せ蓋の前記後パネル内面を前記胴部の二重壁となった前記後面側壁パネルの上部に区画されて設けられた前記糊代片の外面に接着し、該糊代片を区画する前記リード罫をヒンジとして前記被せ蓋を開閉させる。さらに、前記胴部の二重壁となった前記左面側壁パネルと前記右面側壁パネルの上部に設けられた前記舌片と前記被せ蓋の左パネルと右パネル内面に前記ウェッブあるいは前記折込み片が折り返されて形成される段差によって係止手段を構成する。
【０００５】
【発明の実施の形態】
以下，本発明を図面を用いてさらに詳しく説明する。
図１は本発明による密封容器の身のカートンブランク展開図である。
カートンブランク１０は、左面側壁パネル１、前面側壁パネル２、右面側壁パネル３、後面側壁パネル４、糊代５がこの順に折線ａ〜ｄを介して連接され、各側壁パネル１〜４の上部に折線ｅを介して二重折り返し片１’〜４’が連接されてなる胴部Ｄとその下部に折線ｆを介して連接された底成形部Ｂとから構成されている。
二重折り返し片１’〜４’は各側壁パネル１〜４の内側に折り返されて、４角柱状胴部上部の補強、粉漏れ防止、防湿紙シールの安定化等の役割を果たすものであり、折線ｅは通常の罫線でもよいが、ブランク内面からの半切れミシン目（ハーフカットした貫通していないミシン目）とすることが防湿紙の安定したトップシールを行うために、また後述する舌片Ｓに適度な反発力を与えるために好ましい。
本発明による密封容器は容器の両側面で被せ蓋を係止させるタイプ（以下横ロックタイプと称する）である。従って、図１に示すように左右両面の側壁パネル１、３の上辺に２枚の逆台形状の舌片Ｓが切れ目線６と折線ｅによって区画されて形成されている。
一方、後面側壁パネル４の上部には、切れ目線７とリード罫Ｈ（罫線上にハーフカットミシン目あるいはミシン目を施し極めて折り曲げ易くした折線）によって区画された台形状の糊代片Ｎが形成され、このリード罫７をヒンジとしてスウィングするようになっている。
【０００６】
図２は被せ蓋のブランク展開図である。被せ蓋も横ロックタイプに適合するものが使用される。
図２は横ロックタイプの被せ蓋のカートンブランク展開図であり、図２（ａ）は横ロックタイプの一例の被せ蓋のカートンブランク２０であり、図２（ｂ）は別の例の被せ蓋のカートンブランク３０である。これは従来品と同様に紙使用量に無駄を生じる。
カートンブランク２０の場合は、天板１１の４辺に前後パネル１２、左右パネル１３を折線を介して連接し、それぞれの両端に折線を介して３角形の折り返し片１４、１５を延設し、４隅で折り返し片１４、１５同志がリード罫で連接された、天地、左右対称形のブランク２０である。
このブランク２０のリード罫１６以外の折線をすべて内側に９０°折り返し、同時にリード罫１６で４隅に形成されたウェッブ（水掻き）を外側に折り畳み、左右パネル１３側に倒して接着すると、成形された被せ蓋Ｌの左右パネル１３の内面には図３で示すような段差Ｅ−１が形成される。
カートンブランク３０の場合は、同じく天板２１の４辺に前後パネル２２、左右パネル２３を連接し、前後パネル２２の両端のみに折り返し片２４を設けている。
前後パネル２２を９０°に起こし、折り返し片２４を内側に９０°折りかえし、その外面に左右パネルの内面を接着させると、折り返し片２４の先端部のエッジによって段差Ｅ−２が形成される。（ブランク展開図にのみ図示）
【０００７】
図３は以上のように成形された被せ蓋Ｌと角柱状に成形された身の組立説明図である。
身のカートンブランク１０から成形された身の筒状胴部Ｄは図３の裏側から見た斜視図に示すように、後面側壁パネル４の上部にはヒンジＨによって折り曲げ可能な台形状の糊代片Ｎが形成されている。一方、左右面の側壁パネル１、３の上辺には逆台形状の舌片Ｓが形成されている。また、胴部裏面は折り返し片１’〜４’が折り返されて接着され二重壁を形成している。特に糊代片Ｎ、左右舌片Ｓの周辺では、これらが開口しても内容物の粉末の飛散がないように完全に接着されている。
この状態で、内容物の充填が行われ、防湿紙等Ｆによるトップシールがされた後、被せ蓋Ｌが取り付けられる。
【０００８】
図４は本発明による密封容器の被せ蓋取り付け説明図である。
図４（ａ）は本発明による密封容器４０を裏面からみた斜視図である。すなわち、図４（ａ）は、前述のように胴部の後面側壁パネル上部の糊代片Ｎにブランク２０あるいはブランク３０から成形された被せ蓋Ｌを後パネル内面で接着し、半開きにした状態を示している。この状態は、図４（ｂ）の密封容器４０の左右中央部の断面図によってさらに明らかになる。
この被せ蓋を接合するには、身の後面側壁パネル４の上部の糊代片Ｎの外面かあるいは被せ蓋の後パネルの内面のいずれかに接着剤をコートしておき、身の斜め後方から被せると同時に接着させ身と被せ蓋を一体化する。
この被せ蓋が再封されると図４（ａ）にも示す、左右パネル内面に形成された段差Ｅ−１に左右の舌片Ｓの両端エッジが係止してロック機構が被せ蓋の両側で働き、不用意に被せ蓋が開かないようにすることができる。
またブランク３０から成形した被せ蓋についても同じく図２（ｂ）で示す段差Ｅ−２に舌片Ｓの水平部分の一部が係止してロックすることができる。
被せ蓋は以上の２種以外にも左右パネル内面に舌片Ｓが係止する段差が形成されるものであればどのような形態のものであってもよい。
【０００９】
以上説明したように、本発明による密封容器は、４隅がしっかり成形された前後、左右対称形の被せ蓋Ｌを成形された身側の糊代片Ｎに接着すればよく、従来の被せ蓋が有するトラブルを解消することができる。
本発明に使用される被せ蓋Ｌは、糊付け部のような突出部がなくてフラットであるため搬送、供給コンベアー上の整列を行い易く、被せ蓋のブランクによっては板紙の使用量は最小となり、経済効果を発揮する。
また、ヒンジを被せ蓋側に設ける必要がないためヒンジに近い被せ蓋Ｌの隅の構造が従来のものよりしっかりして、左右パネルの内方向への締めつけ力を最後まで保持することができ、横ロックタイプのロック効果を発揮し易くする。
また開封は一般に被せ蓋前パネルに指を掛けて行うが指の位置をずらすことによっては前後、左右の係止が順次時間差をもってはずれるので、従来の前ロックに較べれば弱い力でスムースに開封できる。
前ロック手段が無くなったため、前パネル内面の係止手段によって前パネルが前面に押し出され、また開封時に前面側壁パネル上部に舌片が半開きの状態で残ることがなくなり正面の意匠効果は改善される。
【００１０】
【実施例】
本発明による密封容器を家庭用の小型粉末洗剤に適用すべく、サイズが、高さ１３５ｍｍ，幅１５０ｍｍ，奥行き９０ｍｍで、内容量が１２００ｇ（約１８００ｃｃ）である直方体の密封容器を試作した。また被せ蓋の深さは２３ｍｍとした。
カートンブランク１０、２０、３０の板紙には、本州製紙株式会社製、ネオサンド５０５ｇ／ｍ2 を使用した。
トップシール用にグラシン紙、本州製紙社製、３５ｇ／ｍ2 を使用した。
以上の仕様によって本発明による密封容器４０を試作し、従来の密封容器５０を比較例として被せ蓋のロック機能を比較したところ、比較例より係止の容易さ、係止力の点で優っていた。特にカートンブランク２０から成形した被せ蓋Ｌについて顕著であった。また、開封時の被せ蓋に掛ける手の位置によっては、前後、左右の係止手段が時間差をもって開放されるので、力が分散して開け易かった。また繰返し開閉を行ってもロック機能の衰えは少なかった。
また前面側壁パネル２から舌片がなくなったため、開封時の意匠性に優れた密封容器となった。
【００１１】
【発明の効果】
本発明によれば、種々な構造のフラットな被せ蓋を供給することができ、供給コンベアー上の整列を行い易く、取扱が容易である。従来のようにヒンジＨを被せ蓋側に設ける必要がないためヒンジに近い部分の被せ蓋の隅の構造がしっかりして、左右パネルの内方向への締めつけ力を最後まで保持することができ、横ロックタイプのロック効果を最後まで発揮することができる。また、開封時の前パネルにかける指の位置を僅かにずらすことによって前後、左右の係止が順次時間差をもってはずれるので従来の前ロックに較べれば弱い力でスムースに開封できる。前ロック手段が無くなったため前パネル内面の係止手段によって前パネルが前面に押し出され、また、開封時に前面側壁パネル上部に舌片が半開きの状態で残ることがなくなり正面の意匠効果は改善される。被せ蓋のブランクはブランク２０の場合略直角形であって、多面付けが容易で、打ち抜き時の板紙のロスが少なくなり、材料コストを低減させることができる。また、各側壁パネルの上部の裏面に二重折り返し片を折り返して接着して二重壁を形成し、二重壁となった後面側壁パネルの上部の外面に被せ蓋の後パネルを接着する区画された糊代片が設けられ、そして、二重壁となった左面側壁パネルおよび右面側壁パネルの上端に区画された舌片が設けられていることによって、被せ蓋の開閉において胴部の開口部が変形することなく保持され、被せ蓋の係止を確実にし、かつ、内容物の紛体等を上端まで充填した場合でも内容物が糊代片、左右舌片の周辺から飛散し零れ出すことがない胴部裏面は折り返し片が折り返されて接着され二重壁を形成しているため、被せ蓋を開閉した時に、糊代片、左右舌片の周辺から内容物の粉体が飛散し零れ出すことがない。さらに、本発明による密封容器は板紙主体であって、使用後の廃棄処理性あるいはリサイクル性は良好である。
【図面の簡単な説明】
【図１】身のカートンブランク展開図
【図２】被せ蓋のブランク展開図
【図３】本発明による密封容器組立説明図
【図４】本発明による密封容器の被せ蓋取り付け説明図
【図５】従来の代表的な密封容器の被せ蓋説明図
【符号の説明】
１    左面側壁パネル
２    前面側壁パネル
３    右面側壁パネル
４    後面側壁パネル
５    糊代
１’〜４’  二重折り返し片
６、７    切れ目線
１０    身のカートンブランク
１１    天板
１２    前後パネル
１３    左右パネル
１４、１５    折り返し片
１６    リード罫
２０    横ロックタイプの一例の被せ蓋カートンブランク
２１    天板
２２    前後パネル
２３    左右パネル
２４    折り返し片
３０    横ロックタイプの他の例の被せ蓋カートンブランク
４０    本発明による密封容器
５０    従来の代表的な密封容器の被せ蓋説明図
ａ〜ｆ    折線
Ｂ    底成形部
Ｄ    胴部
Ｅ    段差
Ｆ    防湿紙等
Ｈ    ヒンジ
Ｌ    被せ蓋
Ｎ    糊代片
Ｓ    舌片
【図１】
0003789549.tif 000002
【図２】
0003789549.tif 000003
【図３】
0003789549.tif 000004
【図４】
0003789549.tif 000005
【図５】
0003789549.tif 000006